(57)【要約】【課題】  本発明は、タッチパッドなどに入力される手書きを特定の手書きの形態で自動変換させる手書き入力自動変換システムおよび方法に関するものである。【解決手段】  本発明の一実施形態による手書き入力自動変換システムは、入力パッドにより入力される手書きを認識する認識部と、メモリに保存されたフォントのうち前記入力された手書きに最も類似のフォントを抽出する抽出部、および前記抽出部から抽出されたフォントと前記入力された手書きとを相互比較して、前記抽出されたフォントの形を前記入力された手書きに最も類似に自動変換する変換部とを含む。【選択図】      図２
2016076250.tif 000002
【特許請求の範囲】
【請求項１】
入力パッドにより入力される手書きを認識する認識部と、
メモリに保存されたフォントのうち前記入力された手書きに最も類似のフォントを抽出する抽出部、および
前記抽出部から抽出されたフォントと前記入力された手書きとを相互比較して、前記抽出されたフォントの形を前記入力された手書きに最も類似に自動変換する変換部と、を含み、
前記自動変換はリアルタイムで行われ、自動変換されたフォントがリアルタイムでディスプレーされ、
前記変換部は、前記抽出されたフォントの全体形を前記入力された手書きに最も類似に変換させる第１変換部を含み、
前記変換部は、前記抽出されたフォントの細部の形を前記入力された手書きに最も類似に変換させる第２変換部をさらに含み、
前記抽出されたフォントと前記入力された手書きとを比較した結果に応じて、前記第１変換部及び前記第２変換部のうち少なくとも一つが動作して前記抽出されたフォントを自動変換し、
前記自動変換はリアルタイムで行われ、自動変換されたフォントがリアルタイムでディスプレーされる、
ことを特徴とする手書き入力自動変換システム。
【請求項２】
前記認識部は、前記入力された手書きに対する重要基準点および画数のデータ情報に基づいて、前記入力された手書きを文字で認識する、請求項１に記載の手書き入力自動変換システム。
【請求項３】
前記重要基準点は、前記入力された手書きの開始点、終わり点、折れる点を含む、請求項２に記載の手書き入力自動変換システム。
【請求項４】
前記第１変換部は、前記抽出されたフォントの全体サイズおよび傾きを前記入力された手書きの全体サイズおよび傾きに最も類似に変換させる、請求項１に記載の手書き入力自動変換システム。
【請求項５】
前記第２変換部は、前記抽出されたフォントの細部の画の長さを前記入力された手書きの細部の画の長さに最も類似に変換させる、請求項１に記載の手書き入力自動変換システム。
【請求項６】
入力パッドにより入力される手書きを認識する段階と、
メモリに保存されたフォントのうち前記入力された手書きに最も類似のフォントを抽出する段階、および
前記抽出されたフォントと前記入力された手書きを相互比較して、前記抽出されたフォントの形を前記入力された手書きに最も類似に自動変換する段階と、を含み、
前記自動変換はリアルタイムで行われ、自動変換されたフォントがリアルタイムでディスプレーされ、
前記変換する段階は、前記抽出されたフォントの全体形を前記入力された手書きに最も類似に変換させる段階と、前記抽出されたフォントの細部の形を前記入力された手書きに最も類似に変換させる段階と、をさらに含み、
前記抽出されたフォントと前記入力された手書きとを比較した結果に応じて、抽出されたフォントの全体形を前記入力された手書きに最も類似に変換させる段階及び前記抽出されたフォントの細部の形を前記入力された手書きに最も類似に変換させる段階のうち少なくとも一つが動作して前記抽出されたフォントを自動変換し、
前記自動変換はリアルタイムで行われ、自動変換されたフォントがリアルタイムでディスプレーされる、
ことを特徴とする手書き入力自動変換方法。
【請求項７】
前記認識する段階は、前記入力された手書きに対する重要基準点および画数のデータ情報により文字で認識する、請求項６に記載の手書き入力自動変換方法。
【請求項８】
前記重要基準点は、前記入力された手書きの開始点、終わり点、折れる点を含む、請求項７に記載の手書き入力自動変換方法。
【請求項９】
前記抽出されたフォントの全体の形を前記入力された手書きに最も類似に変換させる段階は、
前記抽出されたフォントの全体サイズおよび傾きを前記入力された手書きの全体サイズおよび傾きに最も類似に変換させる段階を含む、請求項６に記載の手書き入力自動変換方法。
【請求項１０】
前記抽出されたフォントの細部の形を前記入力された手書きに最も類似に変換させる段階は、
前記抽出されたフォントの細部の画の長さを前記入力された手書きの細部の画の長さに最も類似に変換させる段階を含む、請求項６に記載の手書き入力自動変換方法。
【請求項１１】
前記変換されたフォントをメッセージ作成するとき、フォントの適用が可能なようにシステムのメモリにフォントデータに保存する段階をさらに含む、請求項６に記載の手書き入力自動変換方法。
【請求項１２】
前記抽出されて変換されたフォントは、フォントデータとして前記メモリに保存される、請求項１に記載の手書き入力自動変換システム。
【発明の詳細な説明】
【技術分野】
【０００１】
本発明は、手書き入力システムに関するものであって、より詳細には、タッチパッドなどに入力される手書きを特定の書体の形態に自動変換させる手書き入力自動変換システムおよび方法に関するものである。
【背景技術】
【０００２】
最近では、ＰＤＡ、無線端末機などにもユーザが直接手書きで入力できるように手書き入力システム、例えばタッチパッド（インクパッド）などが備えられている。
【０００３】
従来の手書き入力システムは、ユーザがタッチパット上に直接文字を書くと、入力された手書きがそのまま認識されて表示される。すなわち、ユーザが入力した手書きに対して如何なる変換の過程なく入力した手書きをそのまま表示する。
【０００４】
しかし、手書きで入力するとき、ユーザの手の震えがある場合、図１に示すように、手の震えまで認識されて汚らしい書体で書かれるため、使用上の便宜性を提供できない問題がある。
【０００５】
その上、字がきれいではないユーザの場合には、入力される手書きがきれいに見えないため、使用上の満足感を低下させる問題がある。
【０００６】
さらに、従来技術によると、タッチパッド上に入力されたユーザの手書き入力は、システムのフォントに代替されるが、これはユーザの手書き入力が画一化されたフォントサイズに整列されるという問題があり、データを変換する過程において如何なる誤りがあったのか明確なフィードバックを得ることができない。したがって、ユーザが手書きで入力するとき、より直観的で感性的な使用感が不足するという問題がある。
【特許文献１】韓国特許公開第10-2005-0010519号公報
【発明の開示】
【発明が解決しようとする課題】
【０００７】
本発明は、前記のような点を解決するために案出されたものであって、ユーザの手書き入力に対して入力された手書きに最も類似の手書きの形態で自動変換する手書き入力自動変換システムおよび方法を提供することにその目的がある。
【課題を解決するための手段】
【０００８】
前記目的を達成するために、本発明の一実施形態による手書き入力自動変換システムは、入力パッドにより入力される手書きを認識する認識部と、メモリに保存されたフォントのうち前記入力された手書きに最も類似のフォントを抽出する抽出部、および前記抽出部から抽出されたフォントと前記入力された手書きとを相互比較して、前記抽出されたフォントの形を前記入力された手書きに最も類似に自動変換する変換部と、を含む。
【０００９】
前記他の目的を達成するために、本発明の一実施形態による手書き入力自動変換方法は、入力パッドにより入力される手書きを認識する段階と、メモリに保存されたフォントのうち前記入力された手書きに最も類似のフォントを抽出する段階、および前記抽出されたフォントと前記入力された手書きを相互比較して、前記抽出されたフォントの形を前記入力された手書きに最も類似に自動変換する段階と、を含む。
【００１０】
その他実施形態の具体的な事項は詳細な説明および図に含まれている。
【発明の効果】
【００１１】
前記したような本発明のストレージ情報保護システムおよび方法によると、次のような効果が一つあるいはそれ以上ある。
【００１２】
最初に、ユーザの手書き入力に対して入力された手書きに最も類似の手書きの形態に自動変換することによって、ユーザは手書きで入力するあいだ自分が有名な書体に沿って書いているような感じを受けて手書き入力の効用性を向上させることができる。
【００１３】
次に、別途の平坦化、定形化などを必要とせず、ユーザの手書きと最も類似でありながらきれいなフォントを用いることができるため、ユーザの使用上の便宜性および満足感を向上させることができる。
【００１４】
最後に、ユーザが手書きで入力するとき、より直観的で感性的な使用感を向上させることができる。
【発明を実施するための最良の形態】
【００１５】
本発明の利点、特徴、およびそれらを達成する方法は、添付される図面と共に詳細に後述される実施形態を参照すれば明確になるであろう。しかし、本発明は、以下で開示される実施形態に限定されるものではなく、互いに異なる多様な形態で具現されることが可能である。本実施形態は、単に本発明の開示が完全になるように、本発明が属する技術分野で通常の知識を有する者に対して発明の範疇を完全に知らせるために提供されるものであり、本発明は、請求項の範囲によってのみ定義される。なお、明細書全体にかけて、同一の参照符号は同一の構成要素を指すものとする。
【００１６】
以下、添付される図面を参照して本発明の好ましい実施形態による手書き入力自動変換システムおよび方法を詳細に説明する。参考までに本発明を説明するにおいて関連する公知の機能あるいは構成に対する具体的な説明が本発明の要旨を不必要に不明瞭にすると判断される場合その詳細な説明を省略する。
【００１７】
図２は、本発明の一実施形態による手書き入力自動変換システムの構成を図示したブロック図である。
【００１８】
図２に示すように、本発明の一実施形態による手書き入力自動変換システムは認識部１０、抽出部２０および変換部３０などを含む。
【００１９】
認識部１０は、ユーザがシステムの入力パッド１、例えばタッチパット上に入力する手書きを認識する。
【００２０】
より詳細には、認識部１０は、入力された手書きの所定データ、例えば重要基準点および画数などのデータ情報を収集して、システムのメモリ１１に保存されたフォントデータを基づいて、如何なる文字なのか認識する。ここで、重要基準点は入力パッド１の座標上で入力された手書きの開始点、終わり点、折れる点を含む。
【００２１】
抽出部２０は、システムのメモリ１１に保存されたそれぞれの文字に該当するフォントの形および重要基準点などのデータ情報を獲得して、メモリ１１に保存されたフォントのうち入力された手書きのデータに最も類似のフォントを抽出する。
【００２２】
変換部３０は、抽出部２０から抽出されたフォントと認識部１０で認識された入力された手書きの基準点などを相互比較して、抽出されたフォントの形を入力された手書きに最も類似に自動変換する。
【００２３】
変換部３０は、第１変換部３１および第２変換部３２を具備する。
【００２４】
第１変換部３１は、抽出されたフォントの全体の形を入力された手書きに最も類似に変換させる。
【００２５】
より詳細には、第１変換部３１は、抽出されたフォントの全体サイズおよび傾きを入力された手書きの全体サイズおよび傾きに最も類似に変換させる。
【００２６】
第２変換部３２は、抽出されたフォントの細部の形を入力された手書きに最も類似に変換させる。
【００２７】
より詳細には、第２変換部３２は、抽出されたフォントの細部の画の長さを入力された手書きの細部の画の長さに最も類似に変換させる。
【００２８】
図３は、本発明の手書き入力自動変換システムによって、インクパッド上に入力された手書きが自動変換されて表示される一例を示す例示図である。
【００２９】
図３に示すように、本発明の手書き入力自動変換システムは、ユーザがタッチパッドに「ＨＡＮＤＷＲＩＴＩＮＧ」と手書きで入力すると、入力された手書きのサイズおよび傾きまで考慮して、システムのメモリ１１で抽出されたフォントを入力された手書きに最も類似のサイズおよび傾きに自動変換して、リアルタイムでディスプレーをする。
【００３０】
以下、図４、図５Ａから図５Ｅ、図６Ａから６Ｄを参照して本発明の一実施形態による手書き入力自動変換方法を具体的に説明する。
【００３１】
図４は、本発明の一実施形態による手書き入力自動変換方法を説明するためのフローチャートであり、図５は、本発明の手書き入力自動変換方法によって入力された手書きが自動に変換される一例を順次に示す例示図である。
【００３２】
図４、および５Ａから図５Ｅに示すように、本発明の一実施形態による手書き入力自動変換方法は、ユーザがシステムの入力パッド１上に例えば、「ＫＷＡＮＧ−ＳＵ」と手書きで入力すると、認識部１０では入力された手書きを認識する（図４のＳ１０１および図５Ａ参照）。より詳細には、入力された手書きに対する重要基準点および画数のデータ情報により文字で認識する。すなわち、入力パッド１の座標上で入力された手書きの開始点、終わり点、折れる点の座標などを認識する。
【００３３】
次に、抽出部２０でシステムのメモリ１１に保存されたそれぞれの文字に該当するフォントの形および重要基準点などのデータ情報を獲得して、メモリ１１に保存されたフォントのうち入力された手書きのデータに最も類似のフォントを抽出する（図４のＳ１０２および図５Ｂ参照）。
【００３４】
さらに、変換部３０では抽出されたフォントと入力された手書きの基準点などを相互比較して（Ｓ１０３）、抽出されたフォントの形を入力された手書きに最も類似にリアルタイムで自動変換する。
【００３５】
より詳細には、先ず、第１変換部３１では抽出されたフォントの全体の形を入力された手書きに最も類似に変換させる。例えば、抽出されたフォントの全体サイズおよび傾きを入力された手書きの全体サイズおよび傾きに最も類似に変換させる（図４のＳ１０４および図５Ｃ参照）。
【００３６】
次に、第２変換部３２では抽出フォントの細部の形を入力された手書きに最も類似に変換させる。例えば、抽出されたフォントの細部の画の長さを入力された手書きの細部の画の長さに最も類似に変換させる（図４のＳ１０５および図５Ｄ参照）。
【００３７】
他にも、変換完了したフォント（図４のＳ１０６および図５Ｅ参照）を移動通信端末機（または手書き入力が可能な多様なデバイス）などのメッセージを作成するとき、フォントの適用が可能なようにシステムのメモリ１１に保存して、フォントデータ化するのが好ましい。
【００３８】
図６Ａから図６Ｄは、本発明の手書き入力自動変換方法によって、入力された手書き全体を指定されたフォントに一括変換する一例を示す例示図である。
【００３９】
図６Ａに示す入力された手書き「ＢＯＯＫ」全体を図６Ｂ、６Ｃおよび６Ｄに示すように新たに指定される書体に応じて全体文字を一括変換することもできる。
【００４０】
すなわち、本発明によると、ユーザがタッチパッドなどによる手書きで入力すると、特定の書体の形にリアルタイムで自動変換され、入力された手書きを最もよく保存するように文字のサイズ、傾き、細部の形などがリアルタイムで自動的に変換されてディスプレーされる。結果的に、ユーザは手書きで入力する間、自分が有名な書体に沿って書いているような感じを受けて手書き入力の効用性を向上させることができる。
【００４１】
以上、添付された図面を参照して本発明の実施形態について説明したが、本発明が属する技術分野における通常の知識を有する者は、本発明がその技術的思想や必須の特徴を変更しない範囲で他の具体的な形態で実施され得るということを理解することができる。したがって、上記した実施形態はすべての面で例示的なものであり、限定的ではないものと理解しなければならない。
上記の実施形態につき以下の付記を残しておく。
（付記１）
入力パッドにより入力される手書きを認識する認識部と、
メモリに保存されたフォントのうち前記入力された手書きに最も類似のフォントを抽出する抽出部、および
前記抽出部から抽出されたフォントと前記入力された手書きとを相互比較して、前記抽出されたフォントの形を前記入力された手書きに最も類似に自動変換する変換部と、を含む手書き入力自動変換システム。
（付記２）
前記認識部は、前記入力された手書きに対する重要基準点および画数のデータ情報に基づいて、前記入力された手書きを文字で認識する、付記１に記載の手書き入力自動変換システム。
（付記３）
前記重要基準点は、前記入力された手書きの開始点、終わり点、折れる点を含む、付記２に記載の手書き入力自動変換システム。
（付記４）
前記変換部は、前記抽出されたフォントの全体形を前記入力された手書きに最も類似に変換させる第１変換部を含む、付記１に記載の手書き入力自動変換システム。
（付記５）
前記第１変換部は、前記抽出されたフォントの全体サイズおよび傾きを前記入力された手書きの全体サイズおよび傾きに最も類似に変換させる、付記４に記載の手書き入力自動変換システム。
（付記６）
前記変換部は、前記抽出されたフォントの細部の形を前記入力された手書きに最も類似に変換させる第２変換部をさらに含む、付記４に記載の手書き入力自動変換システム。
（付記７）
前記第２変換部は、前記抽出されたフォントの細部の画の長さを前記入力された手書きの細部の画の長さに最も類似に変換させる、付記６に記載の手書き入力自動変換システム。
（付記８）
入力パッドにより入力される手書きを認識する段階と、
メモリに保存されたフォントのうち前記入力された手書きに最も類似のフォントを抽出する段階、および
前記抽出されたフォントと前記入力された手書きを相互比較して、前記抽出されたフォントの形を前記入力された手書きに最も類似に自動変換する段階と、を含む手書き入力自動変換方法。
（付記９）
前記認識する段階は、前記入力された手書きに対する重要基準点および画数のデータ情報により文字で認識する、付記８に記載の手書き入力自動変換方法。
（付記１０）
前記重要基準点は、前記入力された手書きの開始点、終わり点、折れる点を含む、付記９に記載の手書き入力自動変換方法。
（付記１１）
前記変換する段階は、前記抽出されたフォントの全体形を前記入力された手書きに最も類似に変換させる段階を含む、付記８に記載の手書き入力自動変換方法。
（付記１２）
前記抽出されたフォントの全体の形を前記入力された手書きに最も類似に変換させる段階は、
前記抽出されたフォントの全体サイズおよび傾きを前記入力された手書きの全体サイズおよび傾きに最も類似に変換させる段階を含む、付記１１に記載の手書き入力自動変換方法。
（付記１３）
前記抽出されたフォントの全体の形を前記入力された手書きに最も類似に変換した後、
前記抽出されたフォントの細部の形を前記入力された手書きに最も類似に変換させる段階をさらに含む、付記１１に記載の手書き入力自動変換方法。
（付記１４）
前記抽出されたフォントの細部の形を前記入力された手書きに最も類似に変換させる段階は、
前記抽出されたフォントの細部の画の長さを前記入力された手書きの細部の画の長さに最も類似に変換させる段階を含む、付記１３に記載の手書き入力自動変換方法。
（付記１５）
前記変換されたフォントをメッセージ作成するとき、フォントの適用が可能なように前記システムのメモリにフォントデータに保存する段階をさらに含む、付記８に記載の手書き入力自動変換方法。
（付記１６）
前記抽出されて変換されたフォントは、フォントデータとして前記メモリに保存される、付記１に記載の手書き入力自動変換システム。
（付記１７）
前記変換部は、前記入力された手書きの全体的な形を変換する第１変換部をさらに含む、付記１に記載の手書き入力自動変換システム。
【図面の簡単な説明】
【００４２】
【図１】従来の手書き入力システムのインクパッド上に入力された手書きが表示される一例を示す例示図である。
【図２】本発明の一実施形態による手書き入力自動変換システムの構成を図示したブロック図である。
【図３】本発明の手書き入力自動変換システムによってインクパッド上に入力された手書きが自動変換されて表示される一例を示す例示図である。
【図４】本発明の一実施形態による手書き入力自動変換方法を説明するためのフローチャートである。
【図５Ａ】本発明の手書き入力自動変換方法によって入力された手書きが自動に変換される一例を順次に示す例示図である。
【図５Ｂ】本発明の手書き入力自動変換方法によって入力された手書きが自動に変換される一例を順次に示す例示図である。
【図５Ｃ】本発明の手書き入力自動変換方法によって入力された手書きが自動に変換される一例を順次に示す例示図である。
【図５Ｄ】本発明の手書き入力自動変換方法によって入力された手書きが自動に変換される一例を順次に示す例示図である。
【図５Ｅ】本発明の手書き入力自動変換方法によって入力された手書きが自動に変換される一例を順次に示す例示図である。
【図６Ａ】本発明の手書き入力自動変換方法によって入力された手書き全体を指定されたフォントに一括変換する一例を示す例示図である。
【図６Ｂ】本発明の手書き入力自動変換方法によって入力された手書き全体を指定されたフォントに一括変換する一例を示す例示図である。
【図６Ｃ】本発明の手書き入力自動変換方法によって入力された手書き全体を指定されたフォントに一括変換する一例を示す例示図である。
【図６Ｄ】本発明の手書き入力自動変換方法によって入力された手書き全体を指定されたフォントに一括変換する一例を示す例示図である。
【符号の説明】
【００４３】
１      入力パッド
１０    認識部
１１    メモリ
２０    抽出部
３０    変換部
３１    第１変換部
３２    第２変換部
【図１】
2016076250.tif 000003
【図２】
2016076250.tif 000004
【図３】
2016076250.tif 000005
【図４】
2016076250.tif 000006
【図５Ａ】
2016076250.tif 000007
【図５Ｂ】
2016076250.tif 000008
【図５Ｃ】
2016076250.tif 000009
【図５Ｄ】
2016076250.tif 000010
【図５Ｅ】
2016076250.tif 000011
【図６Ａ】
2016076250.tif 000012
【図６Ｂ】
2016076250.tif 000013
【図６Ｃ】
2016076250.tif 000014
【図６Ｄ】
2016076250.tif 000015